(57)【要約】  【課題】  ケーシング溝６１の中に木ネジの先端６７が突出したりすることがなく、また、ケーシング溝に係る突条６６に亀裂が生じたりすることがない建物開口部化粧枠固定金具を提供する。  【解決手段】  本発明に係る金具１は固定部２と挟持部３とを備える。固定部２は平坦な部分であり、例えば釘６３で柱５３、まぐさ５４、窓台５５等に固定される。挟持部３は、例えば二個の屈曲片７，８で形成され、化粧枠ケーシング溝に係る突条６６を挟持する。  【選択図】  図９
2005163380.tif 000002
【特許請求の範囲】
【請求項１】
建物開口部周辺部材へ固定される固定部と、
建物開口部化粧枠ケーシング溝に係る突条を挟持する挟持部
とを備えたことを特徴とする建物開口部化粧枠固定金具。
【発明の詳細な説明】
【技術分野】
【０００１】
本発明は建物開口部化粧枠固定金具に関し、特にケーシング溝付き建物開口部化粧枠を柱等に固定する為の建物開口部化粧枠固定金具に関する。
【背景技術】
【０００２】
建物開口部、例えば窓には図１に示すような建物開口部化粧枠５１が配置される（以下、単に「化粧枠」という）。この化粧枠５１は、従来、下記特許文献１に示されるような金具５２により、柱５３、まぐさ５４、窓台５５等の建物開口部周辺部材に何箇所かで固定されている（以下、建物開口部化粧枠固定金具は、単に金具という。なお、図１に於て、５６は窓枠、５７は窓ガラスである。）。
【特許文献１】特開平８−１３９２４号公報  化粧枠には、図２に示すようなケーシング５８を付加するタイプ（ケーシング溝付き化粧枠５９）がある。この化粧枠５９の場合も、図３、図４に示すように、上記従来の金具５２を使用して化粧枠５９を柱５３等に固定している（なお、図２〜図４に於て、６１はケーシング溝、６２は木ネジ、６３は釘、６４は窓サッシである。）。
【発明の開示】
【発明が解決しようとする課題】
【０００３】
しかし、この従来の金具５２を使用する場合、木ネジ６２の向きに細心の注意を払わないと、図５，図６に示すように、木ネジの先端６７がケーシング溝６１の中に突出してしまい、ケーシング溝６１にケーシング５８を嵌入する際の障害となる。
また、ケーシング溝に係る突条６６は、その幅が通常６ｍｍ前後と薄い。このため、木ネジ６２の捩じ込みで亀裂が生ずる場合があり、その場合は化粧枠５９を新しいものに取り替えなければならないこともある。
【０００４】
本発明の目的は、このような従来技術の欠点を解消し、ケーシング溝の中に木ネジの先端が突出したりすることがなく、また、ケーシング溝に係る突条に亀裂が生じたりすることがない建物開口部化粧枠固定金具を提供することにある。
【課題を解決するための手段】
【０００５】
上記課題を解決するため本発明建物開口部化粧枠固定金物は、建物開口部周辺部材へ固定される固定部と、建物開口部枠ケーシング溝に係る突条を挟持する挟持部とを備える。
【発明の効果】
【０００６】
本発明では、化粧枠が挟持部で挟持され周辺部材に固定される。このため、ケーシング溝に木ネジ先端が突出するようなことはなく、工事の障害が生じない。
また、木ネジを捩じ込まないのでケーシング溝に係る突条に亀裂が生ずることもない。
また、単にケーシング溝に係る突条に挟持部を挟持させ固定部を釘で止めるだけなので、取付けも簡単である。
【発明を実施するための最良の形態】
【０００７】
以下、本発明の詳細を図７〜図１２に示す実施の形態例に基いて説明する。先ず図７，図８に於て、１は建物開口部化粧枠固定金具である（以下、「金具」という。）。この金具１は、固定部２と挟持部３とを備える。固定部２は平坦な部分であり、長孔４と丸孔５とが穿設されている。挟持部３は固定部２の端の二つの屈曲片７，８から成る部分であり、二つの屈曲片７，８の距離Ｄは、ケーシング溝に係る突条６６の幅Ｗと同じにされている。
【０００８】
この金具１も、図１に示す従来の金具５２と同様に、化粧枠５９の上下左右各部分に取着され、化粧枠５９を柱５３、まぐさ５４、窓台５５等の周辺部材に固定する。この金具１の取付け方法を図９〜図１２を引用して説明する。これら図のうち、図９，図１０は金具１の取付け前の状態を分解図風に示す。図１１，図１２は取付け後の状態を示す。
即ち、取付けに当っては、先ず挟持部３の二つの屈曲片７，８をケーシング溝に係る突条６６に外嵌し、この突条６６を挟持させる。
【０００９】
この状態で、長孔４を通して柱５３に釘６３を打ち込む。この際、釘６３は最後まで打ち込まず、金具１が移動し得る状態に留めておく。同じことを繰り返し、所要数の金具１を化粧枠５９の上下左右各部分に取着する。
この後、化粧枠５９の通りを確認する。上述のとおり金具１は移動し得るので、通りが悪い場合は化粧枠５９を動かし、位置を修正する。
化粧枠５９の通りを確認したら、各金具１の丸孔５を通し、柱５３、まぐさ５４、窓台５５に釘６３を打ち込む。このときは釘６３を最後まで打ち込む。その後、各金具の長孔４の釘６３を最後まで打ち込む。これで、化粧枠５９が柱５３まぐさ５４、窓台５５にしっかりと固定される（図９，図１０に示す状態から図１１，図１２に示す状態へ。）。
【産業上の利用可能性】
【００１０】
実施の形態例では２個の屈曲片７，８で挟持部３を形成した。本発明はこれに限られるものではなく、例えば３個の屈曲片で挟持部を形成しても良い。
また、実施の形態例では、釘６３で金具１を固定した。固定の仕方はこれに限られるものではなく、例えば木ネジで固定しても良い。
また、実施の形態例では、建物開口部として窓を想定した。建物開口部はこれに限られるものではなく、建物の出入口、部屋の出入口、天窓なども本発明の実施対象になり得る。
【図面の簡単な説明】
【００１１】
【図１】従来の金具による化粧枠の取付け状態の例を示す正面図。
【図２】ケーシングを付加する化粧枠の例を示す断面図（破断位置は図１Ａ１−Ａ２線と同様の位置。以下、同様。）。
【図３】従来の金物によるケーシング溝付き化粧枠の取付け例を分解図風に示す断面図（木ネジの捩じ込み、釘の打ち込み前。）。
【図４】従来の金物によるケーシング溝付き化粧枠の取付け例を示す図３に対応した正面図（木ネジの捩じ込み、釘の打ち込み前。）。
【図５】従来の金物によるケーシング溝付き化粧枠の取付け例を示す断面図（木ネジの捩じ込み、釘の打ち込み後。）。
【図６】従来の金物によるケーシング溝付き化粧枠の取付け例を示す図５に対応する正面図（木ネジの捩じ込み、釘の打ち込み後。）。
【図７】本発明の実施の形態例の金具を示す斜視図。
【図８】本発明の実施の形態例の金具を示し、（Ａ）は平面図、（Ｂ）は左側面図、（Ｃ）は正面図、（Ｄ）は右側面図、（Ｅ）は底面図、（Ｆ）は背面図。各分図に各符号を全部付すと図が見にくくなるので、各符号はこれら分図の一部に付す。
【図９】本発明の実施の形態例の金物によるケーシング溝付き化粧枠の取付け例を分解図風に示す断面図（釘の打ち込み前。）。
【図１０】本発明の実施の形態例の金物によるケーシング溝付き化粧枠の取付け例を示す図９に対応した正面図（釘の打ち込み前。）。
【図１１】本発明の実施の形態例の金物によるケーシング溝付き化粧枠の取付け例を示す断面図（釘の打ち込み後。）。
【図１２】本発明の実施の形態例の金物によるケーシング溝付き化粧枠の取付け例を示す図１１に対応した正面図（釘の打ち込み後。）
【符号の説明】
【００１２】
１…本発明に係る金具                 ２…固定部
３…挟持部                           ４…長孔
５…丸孔                             ７…屈曲片
８…屈曲片                         ５１…化粧枠
５２…従来の金具                     ５３…柱
５４…まぐさ                         ５５…窓台
５６…窓枠                           ５７…窓ガラス
５８…ケーシング                     ５９…ケーシング溝付き化粧枠
６１…ケーシング溝                   ６２…木ネジ
６３…釘                             ６４…窓サッシ
６６…ケーシング溝に係る突条         ６７…木ネジ先端
Ｄ…屈曲片の距離                     Ｗ…突条の幅
【図１】
2005163380.tif 000003
【図２】
2005163380.tif 000004
【図３】
2005163380.tif 000005
【図４】
2005163380.tif 000006
【図５】
2005163380.tif 000007
【図６】
2005163380.tif 000008
【図７】
2005163380.tif 000009
【図８】
2005163380.tif 000010
【図９】
2005163380.tif 000011
【図１０】
2005163380.tif 000012
【図１１】
2005163380.tif 000013
【図１２】
2005163380.tif 000014